(57)【要約】      （修正有） 【課題】高齢者の入浴中の溺死を防ぐため、入浴中に声がけするとともに非常時に浴室外に通報する装置について、浴室外の家族等の手間をかけずに作動し、かつ簡易で安価である浴槽内溺れ防止兼通報装置を提供する。【解決手段】浴室内見守り機８を、浴槽の水面に浮かべたり、浴槽上縁から吊り下げたり引っ掛けたり浴槽上縁に置いたり跨らせたり、浴室壁面に取り付けたりして設置し、この浴室内見守り機８の作動に対して入浴者が対応したかどうかを無線または有線通信によって浴室外通報機に伝え、対応していない場合は入浴者に異常が発生した可能性があるものとして大音量で家族に通報し、独居の場合などは電話やメールで家族等に通報する。【選択図】図２
0003219229.tif 000002
【実用新案登録請求の範囲】
【請求項１】
浴室内見守り機と浴室外通報機によって構成される浴槽内溺れ防止兼通報装置であって、 
浴室内見守り機は、見守り対象者の注意を喚起する注意喚起部と、一定範囲内で設定した所定の時間に注意喚起部を作動させるタイマー部を備え、さらに前記注意喚起部とタイマー部をリセットするリセット部を有し、
浴室外通報機は、浴室内見守り機と浴室外通報機の機能を設定する機能設定部と、入浴中の見守り対象者の浴室内見守り機の使用状況を見守り者に伝える通報部を有し、
浴室内見守り機と浴室外通報機は無線または有線通信によって接続されている浴槽内溺れ防止兼通報装置。 
【請求項２】
浴室内見守り機が、防水性能のある筐体を有し、かつ比重が１未満である請求項１に記載の浴槽内溺れ防止兼通報装置。 
【請求項３】
浴室内見守り機から注意喚起装置の作動後所定時間内にリセット操作がなされないとの信号を浴室外通報機制御本部が受け取った場合に、あらかじめ登録した受信機と自動で通信して状況を伝える自動発信の機能を持つ通信機を浴室外通報機に搭載したことを特徴とする請求項１に記載の浴槽内溺れ防止兼通報装置。
【考案の詳細な説明】
【技術分野】
【０００１】
本考案は、成人特に高齢者が入浴中に溺れる可能性を低下させるとともに、実際に溺れかけてしまった可能性がある場合にそのことを家人等に連絡する器具に関する。
【背景技術】
【０００２】
入浴は、一般的に日本人にとって大きな楽しみの一つであるが、特に高齢者にとっては外界との接点が減少する場合が多いため自由になる時間が十分にあり、かつ外界との接触で得られる楽しみは少なくなるため、温かい湯に肩までゆっくりとつかることが欠かせない楽しみになっている人も多い。しかしながら、入浴中に高齢者が何らかの原因で溺れてしまって命を落とすことが少なからず発生し、その数は交通事故による死者数を優に超えている。
【０００３】
この問題については、実際の事故発生時の状況を把握できれば解決策を立てやすいと考えられるが、家庭の浴室内の出来事であること、特に介護を必要としない高齢者は一人で入浴することが少なくないと考えられることなどから、実際に溺れた瞬間の状況を明確に把握することが難しい。いくつかの地域の消防本部の統計資料においても明確に状況を断定しているものは殆どない状況である。
【０００４】
そこで、考えられる状況を挙げてみると、(1)浅めか中程度の深さの浴槽で身体を斜めにして肩まで湯につかって全身で温まっているときに、突然心臓や脳の血管障害などが発生して意識を失い、斜めになっていた身体がずるずると前に滑って身体が低くなって水面に接近し、ついには口まで水に浸かってしまって溺れてしまう場合、(2)浅めか中程度の深さの浴槽で肩までは湯につからずいわゆる半身浴をしているときに、突然心臓や脳の血管障害などが発生して意識を失い、身体が前に倒れこんでしまう場合、(3)上記(2)と同様の状況で身体が横に崩れてしまう場合などがある。 
【０００５】
この問題を含めて高齢者の入浴の安全に対して様々な対策が考案されていて、(1)給湯機器のリモコンを利用して浴室外から入浴者に呼び出し音を鳴らすなどして応答を求めるもの、(2)浴槽内で入浴者が滑らないように浴槽の底に凹凸をつけたもの、(3)各種センサーで入浴者の身体状況を把握して異常を検知した場合に警報を家族等に発するものなどが考案されている。
【０００６】
このうち給湯器のリモコンを利用して呼びかける場合は家族等の誰かがリモコンを操作しなければならないため手間がかかるし、うっかりリモコンを操作することを忘れてしまうこともある。
【０００７】
また、各種センサーを用いたものは、精度を上げれば上げるほどに高価になっていく。まして高齢者や身体が不自由な方向けの浴室・浴槽となれば極めて高価になっていき、一般家庭ではなかなか設置できない。
【先行技術文献】
【特許文献】
【０００８】
【特許文献１】特開２００１−２４８９０２号
【特許文献２】特開２００１−２２４６５０号
【特許文献３】実用新案登録第３１２１８２３号
【特許文献４】実用新案登録第３１８９４２５号
【０００９】
上記特許文献１は、[０００５]に述べた給湯器のリモコンを利用して浴室外から入浴者に応答を求めるものであり、応答がなければ入浴者が溺れたりしている可能性が生じていると判断して対処できるというものである。
【００１０】
上記特許文献２は、タイマーを用いて入浴時間を管理して所定時間に所定の反応がない場合は異常事態として家人に通報したり浴槽の水栓を開放して水没している状態を解除したりするものであるとともに、センサーによって浴室に人間がいることを感知した場合にもう一つのセンサーによって頭部が浴槽の水面より上部にあるかどうかを検知して同様の対応をとるなどで溺死を防ぐものである。
【００１１】
上記特許文献３は、浴槽内で入浴者の腰部が前方にずれ落ちて溺れることのないように浴槽底面の臀部が当たるだろうと考えられる場所のそばに滑り止めのための凸部を設置し、また脚部が滑らずに上体を受け止めて支えられるように浴槽底面の足が接するだろうと考えられる場所に凸部を設置するものである。
【００１２】
上記特許文献４は、浴室全体をカプセル化して身体の動きに不自由がある人の入浴に対応させたもので、入浴時の事故防止にも対応すべく構成され、タイマーで入浴時間を管理したり、浴槽内で入浴者が前方にずれ落ちないように股間に身体を受け止める棒状のバーを設置したり、頭部が崩れ落ちそうな場合にそれを受け止めて支える板を設置したり、頭部の状態を検知して非常時には警報を発したり緊急用排水栓を作動させたりするものである。
【考案の概要】
【考案が解決しようとする課題】
【００１３】
入浴者が溺れかけた場合に浴室外にいる家族に通報する等して溺死を防止する装置について、浴室外にいる家族等の手間をかけずに作動して通報し、かつ大規模なリフォーム等の必要がなく、安価であるものを提供する。
【課題を解決するための手段】
【００１４】
上記課題を解決するために、本浴槽内溺れ防止兼通報装置は、浴室内見守り機と浴室外通報機によって構成され、浴室内見守り機が行う注意喚起の動作に対して見守り対象者が対応したかどうかを浴室外通報機に伝えることによって異常の有無を判断することを特徴とする。
【００１５】
浴室内見守り機は、見守り対象者の注意を喚起する注意喚起部と、一定範囲内で設定した所定の時間に注意喚起部を作動させるタイマー部を備え、さらに前記注意喚起部とタイマー部をリセットするリセット部を有し、浴室外通報機は、浴室内見守り機と浴室外通報機の機能を設定する機能設定部と、入浴中の見守り対象者の浴室内見守り機の使用状況を見守り者に伝える通報部を有し、浴室内見守り機と浴室外通報機は無線または有線通信によって接続されている。
【００１６】
浴室内見守り機は、比重１未満かつ防水性能のある筐体を有するものであって、浴槽内に浮かべて使用するか、またはフック類を備えたものを浴槽上縁から浴槽内に向かって吊り下げたり浴槽上縁に引っ掛けたりするか、あるいは浴槽上縁に載せたり跨らせたりするか、浴室壁面の入浴者が容易にスイッチ類を操作できる位置に設置するかして使用するものである。
【００１７】
浴室外通報機には、自動発信の機能を持つ電話機を搭載することを設定でき、搭載した場合には、浴室内見守り機から注意喚起装置の作動時にリセット操作がなされないとの信号を受け取った場合に、あらかじめ登録した電話番号に電話をかけ、またはメールを送信することができる。
【考案の効果】
【００１８】
本装置を使用することによって、入浴者は入浴中に異常が発生した場合に遅くても３〜４分程度の短時間内に家族に異常発生を伝えることができるため、死亡事故にまで発展するなどの重大化することを防ぐ可能性を高められる。
【００１９】
また、家族は、入浴者の安否確認のためにたびたび浴室に出向いたり給湯器のリモコンを操作したりして入浴者に声がけするような手間を省きながら安全を確認することができる。
【００２０】
さらに、高齢者が独居しているような場合には、非常時に家族等に自動で電話をかける機能によって、離れて暮らす家族が非常事態発生の可能性を発生からほとんど時間をおかずに知ることができるために、非常事態に素早く対応することができる。
【図面の簡単な説明】
【００２１】
【図１】本考案の実施形態を示す「浴室外通報機」の例の斜視図である。
【図２】本考案の実施形態を示す「浴室内見守り機」の例の斜視図である。
【図３】本考案の実施形態を示すブロック構成図である。
【図４】本考案の動作を説明するためのフローチャートである。
【考案を実施するための形態】
【００２２】
以下、本考案の実施形態を図１〜図４に基づいて説明する。 
【００２３】
図１の浴室外通報機１は、電話機能非搭載型と電話機能搭載(親機)型、電話機能搭載(子機)型を設定する。居間や食堂等に設置してAC電源で作動し、電源スイッチ２を入れた後機能選択スイッチ３によって機能を選択して見守りを開始し、ディスプレイ４に浴室内見守り機のタイマーの状態を表示して家族が確認できるようにするとともに、浴室内見守り機の注意喚起部作動時に入浴者が所定の対応を取らない場合にはこれを家族にスピーカー６で大音量で知らせる。電話機能搭載型では設定により所定の連絡先に電話を自動発信する。ディスプレイ４は、通常は浴室内見守り機の情報を表示するが、各種設定を行う際には選択・入力キー５とともに機能の選択や電話番号の入力などに用いる。電話機能搭載型は、電源スイッチにかかわらず一般の電話機と同様に通常は受話器７を上げれは電話が作動するものである。子機型は、他の電話機の子機として設定された場合のものである。
【００２４】
電話機能搭載型の場合に使用する回線は、固定電話回線・携帯電話回線のいずれかを使用する構成とする。 
【００２５】
図２の浴室内見守り機は、(1)浴槽に浮かべる、(2)浴槽壁に吊り下げたり引っ掛けたりする、(3)浴槽上縁に置いたり跨らせたりする、(4)浴室の壁に取り付けるという方法のいずれかで設置するが、設置方法は上記(1)〜(4)のうちの一つまたは複数が使える構造とする。浮かべて使用する場合以外も、浴槽への落下に備えて比重を１未満でできるだけ小さくするとともに防水性能を持たせる。
【００２６】
浴室内見守り機と浴室外通報機の通信は、浴槽に浮かべて使用する型では無線通信で、それ以外は有線または無線通信で行う。   
【００２７】
浴槽に浮かべて使用する型は電池で作動し、それ以外の有線で通信するものは浴室外通報機から電源の供給を受ける。電源スイッチ９を入れると浴室外通報機と通信を行い、浴室内見守り機の状態を浴室外通報機のディスプレイに表示させる。タイマーの計時開始スイッチ１０を押すと計時を開始し、３分(初期設定値)経過するとスピーカー１１による音声などで入浴者に注意喚起動作を開始し、入浴者が所定時間(初期設定５秒)内に計時開始スイッチを再び押す(リセット操作)と再び３分の計時を始める。一定時間内にリセット操作が行われない場合はこのことを浴室外通報機に伝えてディスプレイに表示させるとともに、非常事態が発生したことを通報する動作を行う。
【００２８】
浴室内見守り機の形状は、アヒルやイルカ、犬や猫、乳幼児等の入浴者が親しめるものにする。注意喚起動作は浴室内見守り機の形状に応じたものにし、形状がアヒルであれば「ガーガー」、犬であれは「ワンワン」と泣き、幼児の形状であれば「おじいちゃん」「おばあちゃん」といった言葉を発する。マイク１２によって見守り対象者自身の孫等の声を録音して用いることもできるようにする。
【００２９】
耳が不自由になってきている高齢者等には、音とともにアヒルが羽を動かしたり犬がしっぽを動かしたり幼児が手をばたつかせたり目のランプ１３が発光して激しく点滅したりするような音以外の手段を用いることを選択できるようにする。
【００３０】
浴室内見守り機のタイマーの時間設定や注意喚起動作の種類を音声にするかランプの発光にするかアヒルの羽や幼児の手足の動きにするか、あるいは２・３種類の注意喚起動作を併用するか等の設定は、浴室外通報機によって行う。
【００３１】
図３のブロック構成図及び図４のフローチャートの流れによって説明すると、まず浴室に向かう前に浴室外通報機１の電源を入れると、前回までの設定内容がディスプレイに表示されるのでこれを確認する。同時に浴室内見守り機８の状態を把握できる状態になるので、浴室に向かい、浴室内見守り機の電源を入れると浴室外通報機のディスプレイに電源が入ったことが表示され、家族は浴室を覗かずに浴室内の状態をある程度把握できるようになる。
【００３２】
入浴者が浴槽に入る時には、浴室内見守り機８のタイマー１６の計時開始スイッチを押すと計時を開始するとともに、制御本部１５が通信部１９を作動させて浴室外通報機１に状態を伝えてディスプレイに計時開始が表示される。
【００３３】
タイマー１６が設定時間を経過すると注意喚起部１７が起動し、あらかじめ設定しておいた注意喚起動作を行う。 
【００３４】
注意喚起動作は、タイマーの計時開始スイッチを再度操作(リセット操作)することによって停止し、停止とともにタイマーが再度計時を開始するが、これらの浴室内見守り機の作動状況は浴室外通報機のディスプレイに表示される。
【００３５】
注意喚起動作起動後に一定時間が経過(初期設定５秒)してもリセット操作がなされない場合には、制御本部は通信部を起動して浴室外通報機にこれを伝える。 
【００３６】
これを受けて、浴室外通報機の制御本部は非常事態発生をディスプレイに表示し、通報部が自宅内に十分に聞こえる程度の音量で「浴室で事故発生の恐れあり」等の言葉を流すとともに、設定で選択してあった場合には電話部を起動してあらかじめ設定しておいた非常時の連絡先に電話をかけ、または携帯電話の回線を使用している場合はメール等で発信する。
【００３７】
関連する機器として、浴室内の排水栓を操作する機械を製作し、浴室外通報機からの信号で作動させて水栓を外す動作を行うことが考えられる。
【符号の説明】
【００３８】
１  浴室外通報機 
２  電源スイッチ 
３  機能選択スイッチ 
４  ディスプレイ 
５  選択・入力キー 
６  浴室外通報機スピーカー 
７  受話器 
８  浴室内見守り機 
９  電源スイッチ 
１０  計時開始スイッチ兼リセットスイッチ 
１１  注意喚起用スピーカー 
１２  注意喚起音声録音用マイク 
１３  注意喚起用ライト 
１４  電源部 
１５  制御本部 
１６  タイマー部 
１７  注意喚起部 
１８  リセット部 
１９  通信部 
２０  機能設定部 
２１  通報部 
２２  電話部 
【図１】
0003219229.tif 000003
【図２】
0003219229.tif 000004
【図３】
0003219229.tif 000005
【図４】
0003219229.tif 000006